(57)【特許請求の範囲】
【請求項１】
梱包軸をもつワイヤ梱包内に収納されている溶接ワイヤコイルからの溶接ワイヤの流れを制御するための保持リングであって、該コイルは、該梱包軸と平行なコイル軸と、該コイル軸と交差するコイル頂と、巻回したコイルの内周面と外周面とを具備し、該保持リングが該コイル頂を覆うための平らな本体をもち、該本体が、開口部を有し、該開口部が該コイル軸に平行な開口部軸を有し、さらに該本体が該コイルの外周面を越えて該開口部のエッジに対して外側に放射状に伸びる複数の節を有する外周エッジをもち、該節の隣り合う節がコイルの該外周面の内側に伸びる節エッジによって結合しており、該節の少なくとも一つが該保持リングを該梱包軸に対して回転させないようにするため該ワイヤ梱包と係合していることを特徴とする保持リング。
【請求項２】
該節エッジが、凹形状の弓形であることを特徴とする請求項１記載の保持リング。
【請求項３】
該複数の節が４つの節であることを特徴とする請求項２記載の保持リング。
【請求項４】
該複数の節が８つの節であることを特徴とする請求項２記載の保持リング。
【請求項５】
該節が、該開口部に対して凹形状で、その先端部が丸い形状であることを特徴とする請求項１記載の保持リング。
【請求項６】
該複数の節が４つの節であることを特徴とする請求項５記載の保持リング。
【請求項７】
該節エッジが、凹形状の弓形であることを特徴とする請求項６記載の保持リング。
【請求項８】
該複数の節が８つの節であることを特徴とする請求項１記載の保持リング。
【請求項９】
該節エッジが、直線状であることを特徴とする請求項１記載の保持リング。
【請求項１０】
該複数の節が４つの節であることを特徴とする請求項９記載の保持リング。
【請求項１１】
該複数の節が４つの節であることを特徴とする請求項１記載の保持リング。
【請求項１２】
該節エッジが、隣り合う節の間の中央点で交差する２つのエッジを含むことを特徴とする請求項１記載の保持リング。
【請求項１３】
該複数の節が８つの節であることを特徴とする請求項１２記載の保持リング。
【請求項１４】
各節が、互いにある角度で交差する一対の節エッジを含むことを特徴とする請求項１記載の保持リング。
【請求項１５】
該節エッジが直線状であることを特徴とする請求項１４記載の保持リング。
【請求項１６】
該角度が９０度であることを特徴とする請求項１４記載の保持リング。
【請求項１７】
該外周エッジの一部が、弓形であることを特徴とする請求項１記載の保持リング。
【請求項１８】
箱軸をもつ４つの側面からなる箱の中に収納されているワイヤコイルからのワイヤの流れを制御するための保持リングであって、該ワイヤコイルは、該箱軸と平行なコイル軸と、巻回したコイルの内周面と外周面とを具備し、該保持リングが開口部と外周エッジをもつ平らな本体をもち、該外周エッジがそのまわりに等間隔に離間した８つの節を有すると共に、該ワイヤコイルの外周面を超えて放射状に伸びる節は外端部を有し、隣り合う該節が、該ワイヤコイルの外周面の内側で、且つ該外端部間に伸びる節エッジによって結合しており、該節が箱と係合して該保持リングが該箱軸に対して回転しないように構成されていることを特徴とする保持リング。
【請求項１９】
該節が、該開口部に対して凹形状で、その先端部が丸い形状であることを特徴とする請求項１８記載の保持リング。
【請求項２０】
該節が、互いにある角度で交差する節エッジをもつことを特徴とする請求項１８記載の保持リング。
【請求項２１】
該節エッジが、同一形状の２つのエッジをもち、該節エッジが、隣り合う節の間の中央点で交差することを特徴とする請求項１８記載の保持リング。
【請求項２２】
内周面と外周面をもち、ワイヤ梱包内に収納されたワイヤコイルからのワイヤの流れを制御するための保持リングであって、該保持リングが均一の厚みをもつ平らな本体をもち、該本体が開口部と、該コイルの該外周面を超えて該開口部から放射状に離れて伸びる４つの節と、外周エッジとを有し、各節が該外周面の内側に伸びる節エッジによって隣り合う節に結合されて、該外周エッジを形成しており、それにより該節は、該保持リングが該ワイヤ梱包に対して回転するのを防ぎ、かつ該ワイヤが、該外周エッジの外側を通り抜けるのを防ぐようになっていることを特徴とする保持リング。
【請求項２３】
該節が、該開口部に対して凹形状で、その先端部が丸い形状であることを特徴とする請求項２２記載の保持リング。
【請求項２４】
該節が、該開口部の回りに等間隔に離間され、該節エッジが弓形で該開口部に対して凸形状であることを特徴とする請求項２３記載の保持リング。
【請求項２５】
該節が、該開口部の回りに等間隔に離間していることを特徴とする請求項２２記載の保持リング。
【請求項２６】
該節が、互いにある角度で交差する節エッジをもつことを特徴とする請求項１２記載の保持リング。
【請求項２７】
該節エッジが直線状であることを特徴とする請求項２６記載の保持リング。
【請求項２８】
該節が、該開口部の回りに等間隔に離間していることを特徴とする請求項１６記載の保持リング。
【請求項２９】
隣接する該節同士の離間している角度が９０度であることを特徴とする請求項２８記載の保持リング。
【請求項３０】
軸と該軸の回りにコイル外径を与える外周面とコイル高さを規定する軸方向に対向する頂端と底端とをもつワイヤコイルからワイヤを取りだし、又、該ワイヤコイルを収納するための梱包であって、
該梱包が、外カートンと、該外カートン内の８角形の内張と、該ワイヤコイルの頂端と接触する保持リングとからなり、
該外カートンが、底パネルと、該底パネルから上方に該コイル高さよりも高く伸びている４つの平らな側パネルであって、内側に面する側面をもつ側パネルとからなり、
該内張が、８つの垂直に伸びる平らな壁をもち、８つの壁の１つ置きの各壁が該外カートンの異なる１つの側パネルの側面の一部と係合し、該８つの壁の隣り合う壁が該内張のコーナーで結合しており、
該保持リングが、開口部と、該ワイヤコイルの外周面を越えて外側に放射状に伸びる複数の節を含む外周エッジとを有する平らな本体をもち、該各節が該コイルの外周面の内側に伸びる節エッジによって隣り合う節に結合されており、
少なくとも１つの節が少なくとも１つの該コーナーと係合して該保持リングが内張に対して回転するのを防ぐように構成されていることを特徴とする梱包。
【請求項３１】
該節が、該開口部に対して凹形状で、その先端部が丸い形状であることを特徴とする請求項３０記載の梱包。
【請求項３２】
該節エッジが、該開口部に対して凸形状であることを特徴とする請求項３１記載の梱包。
【請求項３３】
該ワイヤコイルが、内周面をもち、該梱包がさらに該コイルの内周面を支持する内スリーブを有し、該内スリーブがある外径を有し、該保持リングの開口部が該外径よりも大きな直径を有することを特徴とする請求項３２記載の梱包。
【請求項３４】
該節が互いにある角度で交差する節エッジをもつことを特徴とする請求項３０記載の梱包。
【請求項３５】
該節エッジが直線状であることを特徴とする請求項３４記載の梱包。
【請求項３６】
該ワイヤコイルが、内周面をもち、該梱包がさらに該コイルの内周面を支持する内スリーブを有し、該内スリーブがある外径を有し、該保持リングの開口部が該外径よりも大きな直径を有することを特徴とする請求項３５記載の梱包。
【請求項３７】
該外周エッジの一部が、弓形であることを特徴とする請求項３０記載の梱包。
【請求項３８】
該節エッジが、隣り合う節の間の中央点で交差する２つのエッジを含むことを特徴とする請求項３０記載の梱包。
【請求項３９】
該複数の節は、８つの等間隔に離間した節であることを特徴とする請求項３８記載の梱包。
【請求項４０】
コイル外径をもつ外周面と、コイル内径をもつ内周面と、コイル高さを規定する頂面と、底面とを有するドーナツ形状のワイヤコイルを格納し、該ワイヤコイルから連続するワイヤを取り出すための容器であって、該容器が、外カートンと、内張と、平らな保持リングとからなり、
該外カートンが、４角形の底および該底から上方に伸びる側壁をもち、該各側壁は内側面と外側面とを有し、
該内張は、内側面と外側面をもつ８つの上方に伸びる内張壁を有し、該内張は８角形の断面形状をもち、該内張壁の該外側面が１つおきに、該外カートンの側壁の異なる１つの内側面と係合し、該内張の該内側面が、該ワイヤコイルの外周面と係合し、
該保持リングが、内エッジを有する開口部と外周エッジとを具備し、該外周エッジが、該ワイヤコイルの外周面を越えて放射状に外側に伸びる８つの等間隔に離間した節を有し、各節は、該外周エッジと該内張の間にギャップを形成する少なくとも１つの曲線の節エッジによって隣り合う節に結合しており、
該保持リングが該ワイヤコイルの頂面に位置し、該節が少なくとも１つの内張壁と係合して該保持リングを該外カートンの側壁間の中央に位置させ、該保持リングが該内張に対して回転するのを防ぐように構成したことを特徴とする容器。
【請求項４１】
少なくとも１つの節エッジが、該ワイヤコイルの外周面の内側に伸びていることを特徴とする請求項４０記載の容器。
【請求項４２】
さらに、該ワイヤコイルの内周面を支持する内スリーブを有し、該内スリーブがある外径を有し、該保持リングの開口部が円形で該外径よりも大きな直径をもつことを特徴とする請求項４１記載の容器。
【請求項４３】
さらに、該ワイヤコイルの内周面を支持する内スリーブを有し、該内スリーブがある外径を有し、該保持リングの開口部が円形で該外径よりも大きな直径をもつことを特徴とする請求項４０記載の容器。
【請求項４４】
少なくとも１つの節エッジが、隣り合う節の間の中央点で交差する２つのエッジで構成されていることを特徴とする請求項４０記載の容器。
【請求項４５】
コイル外径をもつ外周面と、コイル内径をもつ内周面と、コイル高さを規定する頂面と、底面とを有するドーナツ形状のワイヤコイルを格納し、該ワイヤコイルから連続するワイヤを取り出すための容器であって、該容器が、外カートンと、複数の支持部と、平らな保持リングとからなり、
該外カートンが、円形の底および該底から上方に伸びた内面をもつ円筒状側壁を有し、
該複数の支持部は、該外カートンの該内面の回りに等間隔に離間し、該底から上方に伸びていて、該支持部は、該ワイヤコイルの外周面と係合しており、
該保持リングは、内エッジを形成する開口部と、該ワイヤコイルの外周面を越えて放射状に外側に伸びる複数の節をもつ外周エッジとからなり、隣り合う節が、該ワイヤコイルの外周面の内側に伸びる節エッジによって結合しており、
該保持リングが該ワイヤコイルの頂面上に位置し、少なくとも１つの節エッジが該支持部の１つを係合して、該保持リングが該側壁に対して回転するのを防ぐように構成されていることを特徴とする容器。
【請求項４６】
該節が、該開口部に対して凹形状で、その先端部が丸い形状であることを特徴とする請求項４５記載の容器。
【請求項４７】
該節エッジが弓形で、該開口部に対して凸形状であることを特徴とする請求項４６記載の容器。
【請求項４８】
該複数の支持部が４つの支持部であることを特徴とする請求項４５記載の容器。
【請求項４９】
該複数の節が４つの節であることを特徴とする請求項４８記載の容器。
【請求項５０】
該支持部が、円筒形であることを特徴とする請求項４９記載の容器。
【請求項５１】
箱内に梱包されたコイルからワイヤをほどいて取り出すことを制御するための保持器であって、該コイルは軸と、該軸に対向する両端部と、該軸のまわりに形成された外周面とを有し、該箱は、該軸に平行な壁部材を有し、
該保持器は、梱包されたコイルの一端に対して係合させるための平らな本体をもち、該本体が、該梱包されたコイルの軸に平行な軸を有する開口部と、該開口部から半径方向に離れ、その回りに伸びる外周エッジを有し、該外周エッジが、該開口部の回りに互いに等間隔に離間した複数の円周方向に隣り合う節と隣り合う該節を接続する接続エッジとを有し、該節が、該梱包されたコイルの外周面を越えて放射状に外側に伸び、該接続エッジが、該コイルの一端で該外周面の内側を横切るように構成されていることを特徴とする保持器。
【請求項５２】
該節が、該開口部に対して凹形状で、その先端部が丸い形状であることを特徴とする請求項５１記載の保持器。
【請求項５３】
該接続エッジが、該開口部に対して凸形状であることを特徴とする請求項５２記載の保持器。
【請求項５４】
該接続エッジが、該開口部に対して凸形状である請求項５１の保持器。
【請求項５５】
該節が、互いにある角度で交差する接続エッジをもつことを特徴とする請求項５１記載の保持器。
【請求項５６】
該接続エッジが、該節の間で直線状であることを特徴とする請求項５５記載の保持器。
【請求項５７】
該接続エッジが、該節の間で直線状であることを特徴とする請求項５１記載の保持器。
【請求項５８】
該箱の壁部材が、壁パネルと、該壁パネルに隣接して内側に、かつ隣り合う節の間に設けられている柱とを有することを特徴とする請求項５１記載の保持器。
【請求項５９】
該柱が筒状で、隣り合う節の間の該接続エッジが該開口部に対して凸形状であることを特徴とする請求項５８記載の保持器。
【請求項６０】
各接続エッジが、隣り合う節の間の中央点で交差する２つのエッジからなることを特徴とする請求項５１記載の保持器。
【請求項６１】
該接続エッジが、該開口部に対して凹形状であることを特徴とする請求項６０記載の保持器。
【発明の詳細な説明】
【０００１】
【発明の属する技術分野】
本発明はワイヤ取出技術、さらに詳しくは大量の連続ワイヤをもつれさせずに収納し、かつ取り出すための梱包（パッケージ）に関するものである。
【０００２】
【従来の技術とその課題】
本発明は大量の連続ワイヤを容器からもつれさせずに溶接作業に供給することに関するものであるが、そのような容器は公知で、米国特許第５，２７７，３１４号・５，８１９，９３４号・５，７４６，３８０号・４，８６９，３６７号および５，４９４，１６０号に開示されている。これらは大量のワイヤを収納し取り出すための梱包に関する従来技術を開示している。さらにこれらは、もつれさせずにワイヤを梱包から取り出すワイヤ制御の重要性を示している。
米国特許第５，８１６，４６６号はワイヤ梱包と、溶接装置の一部であるワイヤ・フィーダとの相互作用を説明している。
【０００３】
本発明は特に溶接ワイヤの使用に関して適用できるので、以下では本発明を特に何層にも回旋したコイルとして貯えられる多量の溶接ワイヤの梱包に関して述べる。しかし、本発明はより広い適用範囲をもち、どんなタイプのワイヤおよびワイヤ状物質に関しても実施できる。
もちろん、溶接は金属成分を接合する有効な手段として公知である。さらに、溶接ワイヤを消耗電極として使うことも公知である。したがって、溶接ワイヤを経済的に利用できるように梱包することが望ましい。さらに、多量のワイヤを消耗する溶接は、多量の連続ワイヤを収納した梱包を必要とする。したがって、新しいワイヤ梱包を作るため溶接をいったん止める前にできるだけ長く溶接できるように、大きなワイヤ梱包が作られてきている。これは特に、自動や半自動の溶接で重要である。溶接機のワイヤ・フィーダと共働させるため、ワイヤをねじれさせず、歪ませず、傾けさせずに取り出して、オペレータが注意しなくてもより均質な溶接ができるようにしなければならない。
【０００４】
ワイヤは予め決まっている自然状態を取りやすいことが知られているが、この自然状態は溶接に悪影響を与えることが多い。
したがって、ワイヤ梱包とワイヤ・フィーダの相互作用によってワイヤを十分に制御する必要がある。このため、溶接ワイヤのメーカーは、ワイヤのセグメントを床に置いたときその自然な形状が真直になるようにワイヤを製造する。しかし、大量のワイヤを梱包するには、ワイヤをコイル状に巻いて収納しなければならないため、ワイヤを梱包から取り出すとき相当な量のワイヤがねじれたり歪んだりしてしまう。その結果、ワイヤのねじれやもつれを減らすように、梱包からワイヤを取り出すときに制御することが重要である。このことは特に、自動や半自動の溶接で好まれるより大量のワイヤ梱包において顕著になる。
【０００５】
ワイヤを梱包から取り出す位置によって、さらにワイヤを歪ませずにワイヤ取出を制御することができ、ワイヤをスムーズに連続して取り出すことができる。ワイヤがもつれ、切断することにより、そのワイヤを取り除き、フィーダに再フィードするまでに相当な時間をロスする。この点で、ワイヤを梱包から取り出すとき、ワイヤがもつれないようにワイヤの自然状態あるいは形状記憶を制御することが重要である。溶接ワイヤ梱包は、その底から頂まで回旋して横たえた多層のワイヤコイルからなる。これらの回旋（渦巻き）は内径と外径をもち、その内径は梱包の幅すなわち外径よりも小さい。ワイヤの形状記憶により、ワイヤ回旋に外向きの一定の力が生じ、回旋の直径を広げようとする。その広がりを梱包の壁が妨げる。しかし、ワイヤを梱包から取り出すとき、梱包の壁がワイヤを抑えていた作用が緩み、ワイヤは元の自然状態に戻ろうとする。これにより、梱包から取り出された部分のワイヤは緩み、梱包内に跳ね戻ろうとするので、他のワイヤ回旋ともつれやすくなる。さらに、それ以外にワイヤはある量のねじれをもちやすいので、コイル内の回旋を上の方に跳ねさせる。
【０００６】
ワイヤの取出を制御するとともに、ワイヤの跳ね戻りと跳ね上りを制御するために、保持リングが使われてきた。保持リングをコイルの上に被せ、ワイヤの自然の跳ね効果を下方に抑え付けることで、制御される。下方に押す力は、保持リングの重量によるか、あるいは該リングと梱包の底との間につながれた弾性帯のような部材による。さらに、梱包を発送する間、別の下方に押す力が働く。したがって、発送の間、保持リングを定位置に保つため弾性帯のような部材を使う一方、取出の間は保持リングの自重によってコイルに対する位置を保ち得る。ワイヤの取出に関し、一度に一回旋ずつ取り出すとき、保持リングがあるので回旋の上層は定位置に保たれる。さらに、保持リングはワイヤ取出を制御する内側に面するエッジを有する。ワイヤは保持リングの中央から取り出され、エッジに接する。さらに保持リングは、ワイヤを該リングの外側に跳ね回らないようにするメカニズムを有する。従来技術の保持リングは、回旋の外側を保護しリングの外側にワイヤが跳ね回るのを防ぐため、梱包内壁にぴったりと付いた弾性材を利用する。しかし、保持リングと梱包内壁の間に摩擦が生じるため、リングが下方に押す力を小さくし、リングをコイル上方に押しつぶす抗力を発生させ、ワイヤ取出制御を減じさせる。この効力に打ち克つには、保持リングの重量をふやすか、別の錘を使わなければならない。
【０００７】
溶接ワイヤ梱包を経済的に処理できることも重要なことである。剛体の梱包は発送と使用の間、梱包内のコイル移動を抑えて定位置に保ち得るが、廃棄処理するのが困難で、金もかかる。多量のワイヤを消耗する溶接作業において、満梱包の堆積・運動特性と空梱包の廃棄処理可能性はいずれも、重要な役割を演じる。
【０００８】
【課題を解決するための手段】
本発明によれば、ワイヤの取出を制御するため梱包の内張と相互作用する保持リングを有し、該リングと梱包が消耗時に容易に廃棄処理できる溶接ワイヤ梱包が提供される。本発明の梱包は、梱包の内壁と関連し、リングと内壁との摩擦を最小化あるいはなくすため、ワイヤコイル回旋の外径を超えて放射状に伸びる部分をもつ保持リングを有する。
そのような伸長部分をもつことにより、保持リングは該リングと梱包内壁の間に過度の摩擦を生じさせることなく、回旋がリング外側に跳ねるのを防ぐ。
【０００９】
好ましくは、保持リングは８角断面形状をもつ内張と共に使われ、リングの伸長部分はワイヤコイルの外径を超えて８角内張のコーナーに伸びる。それにより、内張との摩擦が生ぜず、リングはワイヤが梱包から取り出されるとき内張内を下方に自由に降りられる。摩擦がないため、より軽くて処理しやすい保持リングが使われ、そのようなリングはワイヤ取出を制御するのに有効でしかも安価に製造できる。使い捨てのボール紙製梱包を使うと、使用後コストかけずに処理できる。これは自動や半自動の溶接のような大量にワイヤを消耗する溶接で、特に重要である。
【００１０】
本発明の他の面によれば、ワイヤコイルと内張との接触点は、保持リングと内張との接触点から離れている。よって、ワイヤの回旋によって生じる力は内張によって制御され、リングの節（伸長部）から離れている。８角内張や断面が正方形の箱、あるいは支持部をもつ筒状容器を使うにせよ、ワイヤの外径は梱包内で等しく隔てられた所定の点で梱包内壁と接する。８角内張の場合、回旋の外径は一般に中央にある内張の垂直壁と接する。逆に、リングの節（伸長部）は垂直壁間の１以上のコーナーで内張と接する。その結果、ワイヤが内張の中央部を歪ませたとしても、内張から離れているので影響されない。よって、保持リングは潜在的な歪を生じさせるほどまでは内張と接する必要がない。さらに、伸長部の間に内側に伸びるエッジ部をもつことにより、摩擦が一層減り、内張の歪には影響されない。
（断面が）正方形あるいは円形の内張の場合も、同じ結果が得られる。正方形内張の場合は、４つのコーナーに伸びる節（伸長部）をリングがもつので、ワイヤコイルの外径を越えて伸びる。複数の支持部をもつ筒状梱包は、該支持部およびコイルの外面を越えて伸びる保持リングを利用する。
【００１１】
本発明の主な目的は、ワイヤを梱包からスムーズにもつれさせず、連続して途切れずに取り出させるワイヤコイル梱包用保持リングを提供することにある。
本発明の他の目的は、容易に輸送でき作業位置に操作できる上記特性をもつ溶接ワイヤ梱包を提供することにある。
【００１２】
さらに他の目的は、軽量で使い捨てでき、溶接ワイヤを連続して容易に取り出せる上記特性をもつ溶接ワイヤ梱包用の保持リングを提供することにある。
他の目的は、使用後より多くの部物を容易に、かつコストをかけずに処理できる上記特性をもつ溶接ワイヤ梱包を提供することにある。
【００１３】
さらに他の目的は、梱包内面と摩擦することなくワイヤコイル回旋がリング外端を越えて広がるのを防ぐため、ワイヤコイルの外径を超えて放射状に伸びる保持リングを利用する上記特性をもつ溶接ワイヤ梱包を提供することにある。
他の目的は、安価に製造され、作業現場で使用するのに容易で、溶接ワイヤを保護する部材を利用する上記特性をもつ溶接ワイヤ梱包を提供することにある。
【００１４】
【発明の実施の形態】
以下、図面を用いて、さらに詳しく説明するが、これらの図は本発明の実施例を説明するためだけのものであり、本発明を限定するためのものではない。図１、２、３、４に保持リング１２および梱包部１４からなる溶接ワイヤ梱包１０を示す。梱包部１４はボール紙等からなる箱で、凹部１８にワイヤコイル１６を収納する形状をしている。梱包部１４は正方形の底２２、および該底から垂直に等距離伸びる４つの側パネル２４，２６，２８，３０をもつ外カートン２０を有する。図示していないが、発送時には頂開口部４０をカバーするために公知の手段が用いられる。これには頂端３２，３４，３６，３８から伸びるボール紙フラップや、外カートン２０に付けられる別の頂パネルが含まれる。
【００１５】
外カートン２０内に、底２２から頂端３２，３４，３６，３８まで伸び、互いにコーナー６８，７０，７２，７４，７６，７８，８０，８２で結合する８つの垂直に伸びる平らな壁５２，５４，５６，５８，６０，６２，６４，６６によって形成された８角断面形状をもつ内張５０がある。壁５２，５４，５６，５８，６０，６２，６４，６６の内面が、凹部１８の一部を形成し、対向する各壁の間の内張の幅はワイヤコイル１６の外径８４に等しい。壁５２，５４，５６，５８，６０，６２，６４，６６はワイヤコイル１６を支持し、それが外径８４よりも広がるのを防ぐ。壁５２，５４，５６，５８，６０，６２，６４，６６は外カートン２０の側パネル、および底２２から頂端３２〜３８に伸びる３角コーナー支持部９０，９２，９４，９６によって支持されている。さらに詳しくは、壁５２，５６，６０，６４の外面がそれぞれ側パネル２４，２６，２８，３０によって支持され、壁５４，５８，６２，６６の外面がそれぞれコーナー支持部９０，９２，９４，９６によって支持されている。内張５０とコーナー支持部９０〜９６は、ボール紙やそれとよく似た物質からなることが好ましい。
【００１６】
ワイヤコイル１６は梱包部１４の高さ１０６よりも低い高さ１０４の外面１００と内面１０２をもつドーナツ形状をしている。さらに、ワイヤコイル１６はそれぞれコイル頂１０８とコイル底１１０を有し、コイル底１１０は外カートンの底２２の上にあり、コイル頂１０８は頂端３２，３４，３６，３８の下にある。ワイヤコイル１６は底２２の近くにある先端１１４から始まって終端１１６まで凹部１８内に上方にらせん状に伸びる連続ワイヤ１１２の多数の回旋（渦巻き）からなる。終端１１６はテープ１１８や他の適当な固定物によってコイル頂１０８に固定される。ワイヤな自然の性質により、ワイヤコイル１６は垂直軸１２０から外側に放射状に力を生じる。ここで「自然な性質」とは、ワイヤを製造中に生じた、あるいはワイヤを機械的に歪ませることによって生じたワイヤ内の内部応力によって生じるワイヤの自然な形状すなわちワイヤの湾曲をいう。この力は壁５２，５４，５６，５８，６０，６２，６４，６６によって抑えられる。ワイヤコイル１６の外面１００が壁５２〜６６の中央で接触し、支えられる。その接触により、ギャップ１２２，１２４，１２６，１２８，１３０，１３２，１３４，１３６がコーナー６８，７０，７２，７４，７６，７８，８０，８２に隣接して形成される。
【００１７】
梱包部１４はさらに、凹部１８の内側境界を区画する内スリーブ１５０を有する。内スリーブ１５０は円筒状で、外面１５２、底エッジ１５４、および頂端３２，３４，３６，３８の下にある頂端１５６を有する。外面１５２は軸１２０と共軸で、直径１５８を有する。底エッジ１５４は底２２の近くにあるワイヤが内スリーブの下に動くのを妨げるように平たい。頂端１５６は丸いか平たいかのいずれかである。梱包の重量をミニマムにするため、内スリーブ１５０は中空で、かつ、ワイヤコイル１６を内面１０２内に支持できるだけの強度をもつように剛体からなることが好ましい。
【００１８】
保持リング１２は実質的に平らな本体（ボデー）で、内エッジ１７２を与える内開口部１７０と外周エッジ１７４を有する。内開口部１７０は内スリーブ１５０の直径１５８よりも大きい直径１７６をもつので、それらの間に取出ギャップ１７８を生じて、取出の間、ワイヤ１１２を通過させる。外周エッジ１７４は実質的に等間隔の８つの節１８０，１８２，１８４，１８６，１８８，１９０，１９２，１９４を有する。隣り合う８つの節１８０，１８２，１８４，１８６，１８８，１９０，１９２，１９４は、内側に放射状に伸びる節エッジ２００，２０２，２０４，２０６，２０８，２１０，２１２，２１４によって結合されている。節エッジ２００〜２１４は図１〜４で弓形に示されているが、後述するように他の形状も取り得る。節１８０〜１９４はそれぞれ、好ましくは丸い形状の外端部２１６，２１８，２２０，２２２，２２４，２２６，２２８，２３０を有する。保持リング１２が凹部１８内で作業位置にあるとき、底面２３２はコイル頂１０８と並列であり、内開口部１７０は軸１２０と共軸である。さらに、節１８０，１８２，１８４，１８６，１８８，１９０，１９２，１９４は軸１２０から外側にワイヤコイル１６の外面１００を越えて、それぞれコーナー６８〜８２内まで伸びている。外端部２１６〜２３０の少なくとも１つが対応するコーナーで内張５０と接触し、これにより保持リング１２の回転を防ぎ、内張５０とワイヤコイル１６に対する保持リング１２の整列を促進する。エッジ節２００，２０２，２０４，２０６，２０８，２１０，２１２，２１４は軸１２０に向かって内側に伸び、外面１００内で放射状に伸びる。この形状により、保持リング１２と内張５０との接触が減ることにより外周エッジ１７４を外面１００と内張５０との接触点から離すので、外周エッジ１７４と内張５０との摩擦係合がさらに減る。上記したように、ワイヤコイル１６および／または内張５０は、保持リング１２の動きと配列に影響を与えうる内張５０に対して作用するコイルの外方向の力によって変形しうる。
【００１９】
さらに、節１８０〜１９４を有することにより、ワイヤ１１２の回旋が、保持リング１２と内張５０の間にほとんど摩擦がなかったとしても、保持リング１２の外側を通らない。これらの形状により、従来使われていたより高価で重い保持リングと同様に機能する軽量で容易に使い捨てできる保持リングを使うことができる。実際、ワイヤコイル１６の外面１００を超えて伸びる節をもつことにより、従来技術の保持リングと比べて回旋を保持リング１２の外側から逃がす可能性が減る。他の実施例に関する次の説明において、梱包１０の各部材の符号は上記と同じである。
【００２０】
図２Ａに本発明の他の実施例を示す。梱包部１４は実質的に同じであるが、コーナー支持部２５０，２５２，２５４，２５６が３角断面の代りに円形断面をもつ筒状柱になっている。
【００２１】
図５に、真直な節エッジ２７０，２７２，２７４，２７６によって相互接続された４つの節２６２，２６４，２６６，２６８をもつ保持リング２６０を示す。保持リング２６０は正方形の外周エッジ２７８を有する。保持リング１２と同様に、保持リング２６０は内径２８４の内端２８２を形成する内開口部２８０を有し、内スリーブ１５０とともに取出ギャップ２８６を形成する。節２６２〜２６８がワイヤコイル１６の外面１００を超えて伸びているので、ワイヤコイル１６の回旋が、保持リング２６０の外周エッジ２７８を超えて上方に伸びるのを防ぐ。さらに節２６２〜２６８が図５のコーナー６８，７２，７６，８０のような直径の両端にあるコーナー内に伸びているので、少なくとも１つの節が内張５０のコーナーと中心で接触し、内張との摩擦を最小化しながら梱包部１４に対して保持リング２６０が回転するのを防ぐ。
【００２２】
図６に、本発明のさらに他の実施例を示す。すなわち、保持リング３０２および外カートン３０４をもつ溶接ワイヤ梱包３００を示す。外カートン３０４は底３０５、および該底からワイヤコイル１６の高さよりも高く上方に伸びる円筒状の側パネル３０６を有する。梱包３００はさらに、前の実施例について述べたと同じ構造の内スリーブ１５０をもつ。梱包３００はさらに側パネル３０６の内側３１６に等間隔に離され、接着剤によってそれに固着している４つの円筒状支持部またはポスト３０８，３１０，３１２，３１４を有する。円筒状支持部３０８〜３１４は底３０５と側パネル３０６の上端の間で、ワイヤコイル１６の外面１００が外カートンの内面３１６から離れるように伸びる。保持リング３０２は内端３２０を生じる内開口部３１８を有し、内開口部の直径３２２は内スリーブ１５０の外径１５８よりも大きい。先と同様に、これによりワイヤ１１２を通り抜けさせる取出ギャップ３２６が生じる。保持リング３０２はさらに、４つの節３３２，３３４，３３６，３３８を有する外周端３３０をもつ。節はそれぞれ外端部３３２ａ、３３４ａ、３３６ａ、３３８ａを有し、これらの外端部は内開口部３１８に対して弓形で、凹状で、側パネル３０６の内側３１６と平行である。隣接する節は、それぞれ支持部３０８〜３１４にまたがる節エッジ３４０，３４２，３４６，３４８によって結合される。節３３２，３３４，３３６，３３８は外カートン３０４の内面３１６に向かって伸びているが、外端部３３２ａ〜３３８ａは内面３１６とは接触せずに間隔を保ち、内面３１６との間にギャップ３５０，３５２，３５４，３５６を形成している。その結果、保持リング３０２と内面３１６との摩擦は最小化され、保持リング３０２はワイヤ１１２が取出されるとき下方に自由に動く。ワイヤの回旋は、節３３２，３３４，３３６，３３８がワイヤコイル１６の外面１００を超えて外側に伸びているので、保持リング３０２の外周端３３０の外側に動くことが妨げられる。保持リング３０２は節エッジ３４０，３４２，３４４，３４６，３４８の少なくとも１つと対応する支持部３０８〜３１４との接触によって、外カートン３０４に対して回転することを妨げられる。
【００２３】
図７に、内端４０４を有する内開口部４０２、および外周エッジ４０６を有する保持リング４００を示す。内開口部４０２は内スリーブ１５０の直径１５８よりも大きな直径４０８を有するので、その間に取出ギャップ４１０を生じる。外周エッジ４０６は実質的に等間隔の８つの節４１２，４１４，４１６，４１８，４２０，４２２，４２４，４２６を有する。これらの節は、節エッジ４３０，４３２，４３４，４３６，４３８，４４０，４４２，４４４，４４６，４４８，４５０，４５２，４５４，４５６，４５８，４６０の２つによって結合されている。たとえば、節４１２と４１４は、互いに他の鏡像であるエッジ４３０，４３２によって結合されている。節４１２〜４２６はそれぞれ外端部４７０，４７２，４７４，４７６，４７８，４８０，４８２，４８４を有する。この実施例の一対のエッジ配列により、摩擦をふやさずに、節４１２〜４２６とコーナー６８〜８２の間により良いフィットが生じる。前述の実施例では、外端部４７０〜４８４の少なくとも１つが対応するコーナーで内張５０と接触し、保持リング４００が内張５０に対して回転するのを防ぎ、保持リング４００をワイヤコイルと整列して保つ。さらに、節エッジ４３０，４３２，４３４，４３６，４３８，４４０，４４２，４４４，４４６，４４８，４５０，４５２，４５４，４５６，４５８，４６０が軸１２０に向かって内側に伸び、内端４８６，４８８，４９０，４９２，４９４，４９６，４９８，５００で交差する。保持リング４００のこの配置により、内張５０との摩擦が減り、ワイヤコイル１６と内張５０の接触点から保持リング４００を離している。これによりさらに摩擦が減り、整列がよくなる。
【００２４】
本発明の実施例について相当強調してきたが、他の実施態様も可能で、本発明の原理から逸脱せずに実施例に多くの変更を加えることが可能である。したがって、上記説明は本発明の例示としてのみ解されるべきであって、限定するものとして解すべきでない。
【図面の簡単な説明】
【図１】本発明の１実施例よりなる溶接ワイヤ梱包の斜視図。
【図２】図１の梱包の平面図。Ａは異なる形状のコーナー支持部の場合の同平面図。
【図３】図２の３−３矢視断面図。
【図４】図１の梱包の分解斜視図。
【図５】他の実施例からなる本発明の梱包の平面図。
【図６】さらに他の実施例からなる同平面図。
【図７】さらに別の実施例からなる同平面図。
【符号の説明】
１０  溶接ワイヤ梱包
１２  保持リング
１４  梱包部
１６  ワイヤコイル
１８  凹部
２０  外カートン
２２  底
２４，２６，２８，３０  側パネル
５０  内張
９０，９２，９４，９６  コーナー支持部
１２０  軸
１５０  内スリーブ
１７０  内開口部
２５０，２５２，２５４，２５６  コーナー支持部
２６０  保持リング
２８０  内開口部
３００  溶接ワイヤ梱包
３０２  保持リング
３０４  外カートン
３０８，３１０，３１２，３１４  支持部
４００  保持リング
４０２  内開口部
４１０  取出ギャップ
【図１】
0003718493.tif 000002
【図２】
0003718493.tif 000003
【図３】
0003718493.tif 000004
【図４】
0003718493.tif 000005
【図５】
0003718493.tif 000006
【図６】
0003718493.tif 000007
【図７】
0003718493.tif 000008